(57)【特許請求の範囲】
【請求項１】
家畜が出入り可能な空間を確保してなる枠本体に、少なくとも四肢を保持する前後の保持部を備え、
当該前後の保持部は、家畜の四肢を、当該四肢の蹄の前端が、後方視において真っ直ぐ下向きとなるように保持するようにしていることを特徴とする削蹄用保定枠。
【請求項２】
家畜の四肢を、当該四肢の蹄の前後方向に沿う平行線の方向が、枠本体の前後方向に沿う平行線と、後方視において直角として保持することによって、当該四肢の蹄の前端を後方視において真っ直ぐ下向きようにすることを特徴とする請求項１に記載の削蹄用保定枠。
【請求項３】
前記空間内に家畜の首部を左右から挟んで固定する固定部を前後方向回動可能に備え、
固定部は、家畜の空間内での前進時に家畜に押されて前方回動し、最前進時においてロック手段によって自動的にロックされて最前進状態が保持されることを特徴とする請求項１または請求項２に記載の削蹄用保定枠。
【請求項４】
固定部は左右の固定杆を備え、当該左右の固定杆で家畜の首部を挟持固定することを特徴とする請求項３に記載の削蹄用保定枠。
【請求項５】
前記左右の固定杆が、後方に突出するように湾曲するとともに、家畜の首部の挟持部から先端に向けて末広がり状となるように形成されていることを特徴とする請求項４に記載の削蹄用保定枠。
【発明の詳細な説明】
【０００１】
【発明の属する技術分野】
本発明は、牛、馬等の家畜の削蹄に用いられる保定枠に関する。
【０００２】
【従来の技術】
従来の家畜の削蹄に用いられる保定枠（削蹄枠装置、削蹄枠、削蹄装置等とも呼ばれている。）は、家畜が出入り可能な空間を確保してなる枠本体に、少なくとも四肢を保持する保持部を備えている。（たとえば、特許文献１参照）
【０００３】
【特許文献１】
特開２０００−１４３０２号公報（〔０００５〕および図１０、図１６）
【０００４】
【発明が解決しようとする課題】
ところで、家畜の様々な疾病を引き起こす原因といわれる肢蹄疾患の予防には年１〜２回の定期的な削蹄が欠かせない。
具体的には、例えば牛の肢は地面に対して垂直に立っているとき最も安定しているため、内、外に分かれた二枚の蹄は、同じ高さ（厚さ）である必要があるが、家畜である牛は、その飼われている環境が牛の生理に反するところにより、成長と磨耗のバランスが著しく狂った結果、内、外の蹄の高さにアンバランスが生じやすくなった。
つまり、削蹄はそのアンバランスを解消するための手段であるが、この削蹄は、単に削ればよいものではなく、蹄の裏面が地面に対してほぼ平行となるように削ることが必要不可欠である。
前記した削蹄が正確に行われないと、家畜の脚に対する荷重バランスが崩れて前記したような肢蹄疾患を引き起こす要因となるが、特許文献に記載のような保定枠以前においては、家畜の脚部を抑えながらアシ上げしての削蹄作業であるため、家畜が嫌がって脚部を動かすこともあって危険性も有る上に、その中で正確な削蹄を行うのは極めて高い技術を要していた。
【０００５】
そこで、前記の特許文献に代表されるような従来の保定枠を用いて家畜の四肢を保持することによって削蹄作業を容易化することが試みられている。
しかしながら、従来の保定枠は、家畜の四肢を保定して削蹄中に家畜が動けないようにして、家畜の脚を抑えることなく削蹄を行うことを想定して構成されたものであり、蹄の裏面を地面に対してほぼ平行となるように削ることを容易化することに関しては何らその対策が成されていないものであった。
内、外蹄を迅速に、尚且つ正確に同じ高さに削るためには、保持した蹄の前端を後方視において真っ直ぐ下向きとすることが必要である。
【０００６】
そこで、本発明は、正確な削蹄を迅速かつ容易に行うことを課題とし、その課題を解決する削蹄用保定枠の提供を目的とする。
【０００７】
【課題を解決するための手段】
上記した目的を達成するために本発明は下記の技術的手段を採用した。
その技術的手段は、図１ないし図４に示すように、家畜が出入り可能な空間Ｓを確保してなる枠本体１に、少なくとも四肢を保持する前後の保持部２，３を備え、当該前後の保持部２，３は、家畜の四肢を、当該四肢の蹄Ｆ３，Ｒ３の前端が、後方視において真っ直ぐ下向きとなるように保持するようにしていることを特徴とする削蹄用保定枠とする（請求項１）。
【０００８】
本発明によれば、図３および図４に示すように、家畜の四肢の蹄の前端が後方視において真っ直ぐ下向きとなる。
人間の動作として、手を前記した方向へ動かす動作は、手を左右に傾斜する方向へ動かす動作に比べて極めて行いやすい動作である。
つまり、削蹄するときに削蹄用具を、後方視において真っ直ぐ下向きとなった蹄の前後方向に沿って動かすことによって、蹄の裏面を地面に対してほぼ平行となるように削ることを迅速、かつ容易に行うことができる。
なお、蹄の前後方向とは、本発明では、頭側を前とし、尻側を後とする。
【０００９】
【発明の実施の形態】
蹄の前端を後方視において真っ直ぐ下向きようにする構成としては、例えば、図３および図４に示すように、家畜の四肢を、当該四肢の蹄の前後方向に沿う平行線Ｌ１，Ｌ３の方向が、枠本体１の左右方向方向に沿う平行線Ｌ３と後方視において直角として保持することによって、当該四肢の蹄Ｆ３，Ｒ３の前端を後方視において真っ直ぐ下向きようにする（請求項２）。
【００１０】
本発明では家畜を枠本体１の空間Ｓ内で安定させるために、図１および図２，図５に示すように、前記空間Ｓ内に家畜の首部Ｎを左右から挟んで固定する固定部４を前後方向回動可能に備え、当該固定部４を、家畜の空間内での前進時に家畜に押されて前方回動し、最前進時においてロック手段Ｋによって自動的にロックされて最前進状態を保持するようにした（請求項３）。
固定部４の具体的な構成としては、例えば、固定部４は左右の固定杆４１を備え、当該左右の固定杆４１で家畜の首部Ｎを挟持固定する（請求項４）構成が例示できる。
本発明によれば、家畜を空間Ｓ内で前進させると、固定部４（左右固定杆の間）に首部Ｎが入り、その状態でさらに前進させることによって、固定部４が押されて前方へ回動し、最前進位置において家畜の首部Ｎを挟持した状態でロック手段Ｋによってロックされる。
つまり、空間Ｓ内の家畜は、最前進位置においてロックされた固定部４によって首部Ｎが挟持され、それ以上の前進および当該位置からの後退が阻止されているので、家畜の空間Ｓ内での安定した状態が保たれる。
したがって、四肢の保持作業を迅速に効率よく行うことができるので、削蹄作業の迅速性の向上という点について極めて効果的である。
【００１１】
また、本発明では、家畜をスムースに前進させるために、図１に示すように、前記左右の固定杆４１を、後方に突出するように湾曲させるとともに、家畜の首部Ｎの挟持部４３から先端に向けて末広がり状となるように形成した（請求項５）。
本発明によれば、固定杆４１は後方湾曲形状であるので、家畜の身体との接触面積が小さく、その湾曲面が家畜の身体に対してスムースに滑る。
また、左右の固定杆４１の間が先端側で広いので家畜が抵抗無く首部Ｎを入れることができ、そして、前進しながら徐々に左右の固定杆４１の間が狭まって首部を挟持する。
つまり、家畜に対して固定部４を前進させる際の抵抗を最小限に低減することができる。
したがって、家畜の枠本体１における空間Ｓ内に入れる作業を迅速に行うことができるので、削蹄作業の迅速性の向上という点について極めて効果的である。
【００１２】
【実施例】
以下、本発明の実施の一例を図面に基づいて説明する。
なお、本実施例では家畜を牛として説明する。
本実施例の削蹄用保定枠Ａ（以下、「保定枠Ａ」と略称する）は、牛Ｃが出入り可能な空間Ｓを確保してなる枠本体１に、牛Ｃの前脚Ｆと後脚Ｒを保持する前後の保持部２，３と、空間Ｓ内で牛Ｃを安定させる固定部４と、牛Ｃを吊り上げる吊具５を備えている。
【００１３】
枠本体１は、牛Ｃ一頭が入れる面積の底板１１の四隅に牛Ｃの体高よりも長い柱１２を立て、当該柱１２の先端相互を梁１３で連結するとともに、枠本体１の長手側で対向する柱１２の中央部間を補強杆１４で連結してなる。
このようにして構成された枠本体１内に空間Ｓが確保され、短手側の一方を出入り口１５としている。
なお、前記出入り口１５側を後側とし、出入り口１５とは反対側を前側とする。
【００１４】
前脚保持部２は、左脚用と右脚用を前側の左右に夫々設けてある。
前脚保持部２を詳述すると、牛Ｃの前膝Ｆ１の後側に接触して前膝Ｆ１を屈曲させる屈曲杆２１と、前膝Ｆ１の屈曲時に蹄Ｆ３付近の後側を抑える前脚支持杆２２と、これらを支持する支持体２３と、牛Ｃの前脚Ｆを吊り上げる吊上げ具２４とで構成されている。
【００１５】
前記屈曲杆２１は、補強杆１４に設けられた杆体１４１と支持体２３に設けられた杆体１４２とで支持されて、支持体２３から空間内に突出するように設けられている。
前記前脚支持杆２２は、支持体２３から空間内に突出するように設けられ、屈曲杆２１で前膝Ｆ１が屈曲したとき蹄Ｆ３付近の後側が接触して保定するようにしてある。
屈曲杆２１と前脚支持杆２２の位置関係は、蹄Ｆ３の前後方向に沿う平行線Ｌ１の方向が、枠本体１の左右方向に沿う平行線Ｌ２と後方視において直角として保持することによって、蹄Ｆ３の前端が後方視において真っ直ぐ下向きとなる位置関係である。
吊上げ具２４は、図３に示すように、牛Ｃの前脚Ｆに巻き付ける巻付け環２４１と、吊上げロープ２４２からなる。
吊上げ状態は、巻付け環２４１を前管Ｆ２に巻付けて、前管Ｆ２の真後ろを支点に吊上げロープ２４２を地面に対して垂直方向上方に引き上げるとともに、蹄Ｆ３付近の後側が前脚支持杆２２に接触した位置において、吊上げロープ２４２を梁１３のフック１３１に引掛けるようにしている。
吊上げ具２４を吊上げるには、前記吊上げロープ２４２をチェーンブロック等（図示せず）の物上げ装置によって引き上げる手段が挙げられ、これは、後述する後脚保持部３の吊上げ具３３および牛Ｃを吊上げる吊具５にも使用する。
なお、牛の前脚の骨格は、肩甲骨が靭帯で背骨に繋がっているため、大変自由度が大きく、前膝の関節の自由度もある程度は有る。
したがって、肩の略真横であれば、ある程度牛体から離れた地点で膝を屈曲させても、蹄Ｆ３の前端を後方視において真っ直ぐ下向きとすることができる。
つまり、前脚を可能な限り牛体から離した位置で保定することによって、削蹄作業において牛体が邪魔にならないので作業効率が高まる。
【００１６】
後脚保持部３は、左脚用と右脚用が一体として形成され、後側の左右の柱１２間に亘って出入り口１５を塞ぐように設けてある。
また、この後脚保持部３は、右側が柱１２に対して左右回動可能に軸支され、左側が柱１２に対して固定および固定解除可能にされ、固定することによって出入り口１５を閉鎖し、固定解除することによって出入り口１５を開放するようにしている。
【００１７】
後脚保持部３を詳述すると、吊上げられる後脚Ｒの後膝Ｒ１の後側に接触して後膝Ｒ１を屈曲させる屈曲杆３１と、蹄Ｆ３の後側に接触して支える後脚支持杆３２と、牛Ｃの後脚Ｒを吊上げる吊上げ具３３とで構成されている。
屈曲杆３１は、左脚用と右脚用が正面視略Ｍ形状となるように一体形成され、後脚支持杆３２は、左脚用と右脚用が平面視略Ｗ形状となるように一体形成されている。
両支持杆の位置関係は、後脚Ｒを吊上げたときに、屈曲杆３１と後脚支持杆３２の間で飛節Ｒ２が屈曲するとともに、蹄Ｒ３の前後方向に沿う平行線Ｌ３の方向が、枠本体１の左右方向に沿う平行線Ｌ２と後方視において直角として保持することによって、蹄Ｒ３の前端が後方視において真っ直ぐ下向きとなる位置関係である。
吊上げ具３３の構造は、前記前脚用の吊上げ具２３の構造と同様であり、図４に示すように、巻付け環３３１を後管Ｒ４に巻付けて、吊上げロープ３３２を上方に引き上げるとともに、蹄Ｒ３の後側が後脚支持杆３２に接触した位置において、吊上げロープ３３２を梁１３のフック１３１に引掛けるようにしている。
なお、後脚は、坐骨から非常に自由度の少ない関節で繋がっているので、後膝・飛節・蹄の中心を通る中心線（前記平行線Ｌ３と平行となる線）が前記平行線Ｌ２と後方視において直角として保持することによって、蹄の前端が後方視において真っ直ぐ下向きとなる。
【００１８】
なお、本発明の後脚保持部３は、例示した一体構造に限定するものではなく、後脚Ｒの蹄Ｒ３の裏面が地面に対して略垂直となるように支えることが可能な形態を包含する。
また、後脚保持部３は、一体構造に限定するものではなく、左右別体として観音開き状に前記出入り口１５を開閉するように支持するようにしてもよい。
【００１９】
固定部４は、牛Ｃの首部Ｎを挟持する左右の固定杆４１と、左右の固定杆４１の後端を連結するとともに、固定部４の回動を制動するバランサー４２と、固定部４を最前進位置においてロックするロック手段Ｋとで構成されている。
この固定部４は、空間Ｓ内における梁１３の前端付近に前後方向回動可能に軸支され、牛Ｃが空間Ｓに入る前では、バランサー４２によって上方に位置するように保持されている。
そして、牛Ｃが空間Ｓに入って前進して固定部４を押したときに前方回動するようにし、固定部４が最前進位置に回動すると、自動的にロック手段Ｋが作動して固定部４を当該位置に保持するようにしている。
【００２０】
固定部４を詳述すると、左右の固定杆４１は、牛Ｃの首部Ｎを挟持する挟持部４３の幅を、牛Ｃの頭部Ｈの顎部Ｈ１が左右の固定杆４１に引っ掛かって抜けない程度の幅とし、当該挟持部４３から先端に向けて末広がり状となるように形成してある。
また、左右の固定杆４１は、後方に突出するように湾曲するように形成してあり、固定部４が上方に位置しているときに、左右の固定杆４１の先端位置を下向きとして、牛Ｃが固定杆４１を押すときには、湾曲面４１１に接触させて牛Ｃに対して固定杆４１の先端部４１２を食い込ませないようにしている。
そして、この固定部４は、先端側が幅広として牛Ｃが首部Ｎを入れやすく、牛の前進に伴う回動によって徐々に幅狭となり、最前進位置において牛Ｃの首部Ｎが挟持部４３に位置して首部Ｎが抜けないように保持するようにしている。
【００２１】
ロック手段Ｋは、右側の固定杆４１に形成されたスライド杆Ｋ１の上方と左前方の柱１２の上方とに亘って環状体Ｋ２を巻付けてなり、固定部４が上方に位置しているときには、スライド杆Ｋ１が柱１２に対して交差する方向にあって、両者によって環状体Ｋ２を引張っており、その引張り力によって環状体Ｋ２を上方の位置に保持している。
そして、固定部４が牛Ｃの前進により前方回動し、最前進位置になったときに、前記スライド杆Ｋ１が柱１２とほぼ平行となって、環状体Ｋ２に対する引張り力を解除し、引張り力の解除によって環状体Ｋ２を落下させる。
落下した環状体Ｋ２は、スライド杆Ｋ１の下方において当該スライド杆Ｋ１と柱１２とに巻付けられた状態となって、スライド杆Ｋ１の柱１２に対する平行状態を保持することによって、固定部４の後退方向への回動を阻止している。
【００２２】
吊具５は、牛Ｃの腹部Ｂを支持して牛Ｃを吊上げるものであり、具体的には、腹部Ｂを支持するためのベルト５１と、当該ベルト５１の左右端部に連結した吊りロープ５２とで構成され、この吊りロープ５２を梁１３に引掛けるようにしている。
この吊具５によって牛Ｃを吊上げることによって、牛Ｃの四肢を前後の保持部２，３に保持する作業を容易に行うことができる。
【００２３】
なお、本発明の保定枠は、前記実施例で例示した構成に限定するものではなく、特許請求の範囲された内容から逸脱しない範囲で他の構成による実施が可能である。
【図面の簡単な説明】
【図１】本発明に係る削蹄用保定枠の斜視図。
【図２】保定状態を示す側面図。
【図３】要部斜視図。
【図４】要部斜視図。
【図５】牛の出入り状態を示す側面図。
【符号の説明】
Ａ：削蹄用保定枠
Ｓ：空間
１：枠本体
２：前脚保持部
２１：屈曲杆
２２：前脚支持杆
Ｆ：前脚
Ｆ１：前膝
Ｆ２：前管
Ｆ３：蹄
３：後脚保持部
３１：屈曲杆
３２：後脚支持杆
Ｒ：後脚
Ｒ１：後膝
Ｒ２：飛節
Ｒ３：蹄
Ｃ：牛（家畜）
Ｎ：首部
４：固定部
４１：固定杆
４３：挟持部
Ｋ：ロック手段
Ｌ１：平行線
Ｌ２：平行線
Ｌ３：平行線
【図１】
0003601600.tif 000002
【図２】
0003601600.tif 000003
【図３】
0003601600.tif 000004
【図４】
0003601600.tif 000005
【図５】
0003601600.tif 000006